(57)【要約】【課題】前扉の裏面側に取り付けられる制御基板に接続されるハーネス側コネクタを容易に外されないようにした遊技機の配線抜け止め防止構造を提供する。【解決手段】中央制御基板カバー４５から露出した基板側コネクタ４６８とハーネス側コネクタ５００とのほぼ全面を、弾性力によってほぼ密着した状態で覆うコネクタカバー６００を設ける。さらに、コネクタカバー６００のフランジ部６０２を、中央制御基板カバー４５内に挿入した状態で、制御基板カバー４５を挿通し、かつコネクタカバー６００の中央制御基板４６に臨んだ面部に係合する固定係止爪６０１ｂ，６１０ｃを備えた固定キャップ６１０によって、中央制御基板カバー４５に抜け止め固定する。【選択図】図３
2011229953.tif 000002
【特許請求の範囲】
【請求項１】
前扉の裏面側に設けられた制御基板と、前記制御基板に設けられた制御基板側コネクタと前記制御基板側コネクタに接続される内部配線のハーネス側コネクタとを除いて前記制御基板を覆う制御基板カバーと、を備えた遊技機の配線抜け止め防止構造において、
係合状態にある前記制御基板側コネクタと前記ハーネス側コネクタとのほぼ全面を、弾性力によってほぼ密着した状態で覆うコネクタカバーを設けると共に、前記コネクタカバーには、前記コネクタカバーが前記制御基板カバーに装着された状態、かつ、前記コネクタカバーが前記制御基板側コネクタと前記ハーネス側コネクタとを覆う状態において、前記制御基板側カバーに設けられた挿入孔と整合する係止孔が設けられており、
前記コネクタカバーは、前記挿入孔と前記係止孔とが整合した状態で、前記制御基板カバーから離脱することがないように、固定係止爪を備えた固定具によって前記制御基板カバーに抜け止め固定されることを特徴とする遊技機の配線抜け止め防止構造。
【発明の詳細な説明】
【技術分野】
【０００１】
この発明は、遊技機の配線抜け止め防止構造に関し、さらに詳しくは、前扉の裏面側にハーネス（内部配線）を介して接続される制御基板を備えたスロットマシン等の遊技機の配線抜け止め防止構造に関する。
【背景技術】
【０００２】
従来、この種の遊技機の配線抜け止め防止構造にあっては、前扉の裏面側には、中央制御基板が透明な中央制御基板カバーによって覆われた状態で取り付けられていた。この中央制御基板は、スタートレバーやストップボタン等の操作スイッチ類の出力信号をハーネス（内部配線）を介して主制御基板へ送るように構成されている。そのため、中央制御基板に対する不正アクセスがなされて、例えば、不正な電子部品が取り付けられたような場合は、透明なカバーを通してこのような不正を簡単に発見して、迅速な対応処置が行われるようになっていた（例えば、特許文献１参照）。
【先行技術文献】
【特許文献】
【０００３】
【特許文献１】特開２００５−２１４３８号公報
【発明の概要】
【発明が解決しようとする課題】
【０００４】
しかしながら、上記した従来の遊技機の配線抜け止め防止構造にあっては、中央制御基板カバーは、中央制御基板に設けられた基板側コネクタと、この基板側コネクタに接続されるハーネス側コネクタとを除いて中央制御基板を覆うように形成されている。このため、基板側コネクタとハーネス側コネクタとは中央制御基板カバーから露出してしまうために、基板側コネクタからハーネス側コネクタが抜出されて、内部的に抽選が当たっている状態にする「打ち込み機」が接続されてしまう虞がある。
【０００５】
本発明は、こうした事情に鑑みてなされたものであり、前扉の裏面側に取り付けられる制御基板に接続されるハーネス側コネクタを容易に外されないようにした遊技機の配線抜け止め防止構造を提供することを目的とする。
【課題を解決するための手段】
【０００６】
上記目的を達成するため請求項１に記載の発明は、前扉の裏面側に設けられた制御基板と、前記制御基板に設けられた制御基板側コネクタと前記制御基板側コネクタに接続される内部配線のハーネス側コネクタとを除いて前記制御基板を覆う制御基板カバーと、を備えた遊技機の配線抜け止め防止構造において、
係合状態にある前記制御基板側コネクタと前記ハーネス側コネクタとのほぼ全面を、弾性力によってほぼ密着した状態で覆うコネクタカバーを設けると共に、前記コネクタカバーには、前記コネクタカバーが前記制御基板カバーに装着された状態、かつ、前記コネクタカバーが前記制御基板側コネクタと前記ハーネス側コネクタとを覆う状態において、前記制御基板側カバーに設けられた挿入孔と整合する係止孔が設けられており、前記コネクタカバーは、前記挿入孔と前記係止孔とが整合した状態で、前記制御基板カバーから離脱することがないように、固定係止爪を備えた固定具によって前記制御基板カバーに抜け止め固定されることを特徴とする。
【０００７】
請求項１に記載の発明によれば、係合状態にある基板側コネクタとハーネス側コネクタとのほぼ全面は、コネクタカバーによってほぼ密着した状態で覆われる。これにより、前扉の裏面側の制御基板に接続されるハーネス側コネクタを容易に外されないようにすることができるようになる。
さらには、このコネクタカバーは、固定係止爪を備えた固定具によって、制御基板カバーにしっかりと抜け止め固定されるようになっている。これにより、制御基板カバー、コネクタカバー、固定具の何れかを壊さない限りは、基板側コネクタからハーネス側コネクタを抜出することはできなくなるので、前扉の裏面側の制御基板に接続されるハーネス側コネクタをより外しにくくすることが可能となる。
また、仮にハーネス側コネクタが制御基板側コネクタから抜出された場合は、制御基板カバー、コネクタカバー、固定具の何れかに壊されたり、白くくもるような痕跡が残るので、不正行為を簡単に発見することができ、迅速に対処処置を行うことができる。
【発明の効果】
【０００８】
本発明の遊技機の配線抜け止め防止構造によれば、制御基板カバーから露出した基板側コネクタとハーネス側コネクタとの全面をほぼ覆うコネクタカバーを設けると共に、このコネクタカバーを固定具によって中央制御基板カバーに抜け止め固定した。これにより、前扉の裏面側に取り付けられる制御基板に接続されるハーネス側コネクタを容易に外されないようにすることが可能となる。
【図面の簡単な説明】
【０００９】
【図１】スロットマシンの正面図である。
【図２】前扉を開放した状態におけるスロットマシンの内部構造を示した正面図である。
【図３】図３は、同例におけるパネル面の裏面側の構造を説明するための分解斜視図である。
【図４】同例におけるコネクタカバーを説明するための図である。
【図５】同コネクタカバーが取り付けられたパネル面の裏面側の斜視図である。
【図６】図５中のＡ−Ａ矢視断面図である。
【図７】図５中のＢ−Ｂ矢視断面図である。
【発明を実施するための形態】
【００１０】
以下、本発明の好適な一実施形態を、スロットマシンを例に図面を参照して説明する。図１は、スロットマシンの正面図、図２は、前扉を開放した状態におけるスロットマシンの内部構造を示した正面図である。
【００１１】
スロットマシン１は、図１，２に示されるように、前面が開放した矩形状箱体の筐体２（図２に図示）と、この筐体２にスライドヒンジ３，３を介して開閉可能に取り付けられた前扉４と、を備えて構成されている。
【００１２】
まず、筐体２の内部構造について説明する。
筐体２は、図２に示されるように、いずれも木製の上板部２ａ、左右側板部２ｂ，２ｃ、底板部２ｄ、背板部２ｅを備えて構成されている。
筐体２内の背板部２ｅの上部には、スロットマシン１の全体動作を集中制御するＣＰＵ（マイコン）を備えた主制御基板２０が、硬質プラスチック製のカバー２１内に収容された状態で取り付けられている。カバー２１は、主制御基板側に設けられた基板側カバーに蓋側カバーが重ね合わされた状態で、両カバー上部間に跨った２つの固定具としての固定キャップ２２により内部封止がなされている。固定キャップ２２は、ほぼ円筒状の本体部の左右側部に一体形成された前後２つの固定係止爪が、それぞれ基板側カバー或いは蓋側カバーの所定位置に係止することにより、基板側カバーと蓋側カバーとを抜け止め固定し、カバー２１を封止するようになっている。
【００１３】
また、筐体２内の右側板部２ｃの上部には、スロットマシン１からホールコンピュータに向かって所定の情報データ（例えば、大当たり、払い戻し数等）を出力するための外部出力端子を備えた外部集中端子基板２３が取り付けられている。
【００１４】
筐体２内の中央には、リール１０１ａ，１０１ｂ，１０１ｃを備えた可変表示装置を構成するリールユニット１００が配設されている。このリールユニット１００は、左右側板部２ｂ，２ｃ、背板部２ｅによって支持された金属製のフレーム板部２ｆの上面に載置されているものであって、前扉４が筐体２側に閉じられると、前扉４のパネル面５０の表示窓５１に、複数種類の図柄や数字等による識別情報が描かれたリール１０１ａ，１０１ｂ，１０１ｃが位置するようになっている。
【００１５】
リール１０１ａ，１０１ｂ，１０１ｃは、それぞれに内蔵されたステッピングモータによって回転駆動されるものであって、リールユニット１００の上面には、ステッピングモータへ４相の駆動パルス信号を送出する回胴装置基板２４が取り付けられている。そして、主制御基板２０が回胴装置基板２４に回胴駆動（励磁）パルスデータを送出することで、リールｌ０１ａ，１０１ｂ，１０１ｃの回転、制動及び停止の制御が行われるようになっている。
【００１６】
リールユニット１００の下方側、つまり筐体２内の底板部２ｄの上面中央には、筐体２内に投入されたメダル等の遊技媒体（以下、メダルという）を収容するホッパ装置２５が取り付けられている。このホッパ装置２５の右側には、このホッパ装置２５から溢れたメダルを収容するための補助貯留部２６が取り付け固定されている。また、ホッパ装置２５の左側には、外部から電力供給を受けて内部装置に必要な電力を供給する主電源装置２７が取り付け固定されている。この主電源装置２７には、いわゆる配電盤に相当する電源装置基板が内蔵されている。
【００１７】
次に、前扉４の外部構成について説明する。
前扉４の前面側は、図１に示されるように、遊技者に面する「前面パネル部」として視覚効果を高めるようにデザインされた所謂化粧板として硬質プラスチックにより一体形成されているものであって、上部パネル部５、下部パネル部６、操作卓７にほぼ区分されるようになっている。
【００１８】
上部パネル部５の中央には、パネル面５０が設けられている。このパネル面５０のほぼ中央には、略矩形状の透明な表示窓５１が設けられており、この表示窓５１を通して、筐体２内に設けられたリールユニット１００の３個のリール１０１ａ，１０１ｂ，１０１ｃを目視できるようになっている。
【００１９】
上部パネル部５の上部や左右側部には、レンズパネルの内部に蛍光灯や高輝度発光ダイオード等の光源を内蔵する照明手段としての照明演出装置５２、演出用照明部５３ａ〜５３ｈが配設されている。これら照明演出装置５２、演出用照明部５３ａ〜５３ｈは、ゲームの進行に応じて点灯或いは点滅することで、ゲームにおける視覚的な演出効果を高めるようになっている。また、照明手段としての照明演出装置５２は、スロットマシン１の遊技状態を報知する手段としても機能するようになっている。
【００２０】
照明演出装置５２の下方には、ゲームに係る効果音を発生するスピーカ４２ａ，４２ｂ（図２に図示）を内蔵した左右一対の演出用放音部５４ａ，５４ｂと、液晶表示演出装置５５とが配設されている。液晶表示演出装置５５は、透明な硬質プラスチック板等が嵌め込まれることによって形成されたスロットマシン１の演出装置であって、ゲームの演出に係る映像やゲーム（遊技）に関する情報を主に表示するようになっている。
【００２１】
下部パネル部６には、スロットマシン１のモデルタイプを遊技者へ認識させる等のため、登場キャラクターの意匠等を表示するパネル６１が設けられている。このパネル６１の下方には、受皿ユニット６２、入賞時にメダルを排出するメダル払出口６３、演出効果音を発生するスピーカ４９ａ，４９ｂ（図２に図示）を内蔵した演出用放音部６４ａ，６４ｂ等が配設されている。さらに、受皿ユニット６２には、メダル払出口６３から払い出されたメダルを貯留する受皿部６２ａが一体形成されていると共に、遊技者の喫煙の用に供するための灰皿部材６５が設けられている。
【００２２】
また、パネル６１の左右両側には、レンズパネルの内部に高輝度発光ダイオード等の光源を内蔵する演出用照明部６６ａ，６６ｂが配設されている。これら演出用照明部６６ａ，６６ｂは、照明演出装置５２、演出用照明部５３ａ〜５３ｈと同様に、ゲームの進行に応じて点灯或いは点滅することで、ゲームにおける視覚的な演出効果を高めるようになっている。
【００２３】
操作卓７は、その上面側（操作パネル）に、メダル投入部７１、ベットボタン７２，７３が配設されていると共に、前面側（フロントマスク）に、スタートレバー７４、ストップボタン７５ａ，７５ｂ，７５ｃ、積算ボタン７６、イジェクトボタン７７、鍵穴７８が配設されている。
【００２４】
メダル投入部７１には、ゲームに賭けるメダルを筐体２内に投入するためのメダル投入口が一体的に形成されている。
ベットボタン７２，７３は、スロットマシン１の１ゲームに賭けるメダルの枚数を提示するためのボタンスイッチである。すなわち、ゲームを開始する際に、ベットボタン７２を１回押圧操作すると、貯留されているメダルのなかから１枚のメダルがゲームに対して賭けられ、また、ベットボタン７３を１回押圧操作すると、３枚のメダルが当該ゲームに賭けられる。このため、ベットボタン７２は、「１ベットボタン」、ベットボタン７３は、最大枚数のメダルを賭けることができるので、「マックスベットボタン」と呼ばれている。
【００２５】
スタートレバー７４は、リール１０１ａ〜１０１ｃの回転開始を指示するためのレバースイッチである。
ストップボタン７５ａ，７５ｂ，７５ｃは、スタートレバー７４によって回転動しているリール１０１ａ，１０１ｂ，１０１ｃの回転停止をそれぞれ指示するためのボタンスイッチであって、各リールの配列に対応して並設されている。
精算ボタン７６は、ゲームに賭けたメダルの払い出しを指示すると共に、メダルクレジット手段（図示せず）が内部保留したメダルの払い出しを指示するためのボタンスイッチである。
【００２６】
イジェクトボタン７７は、メダル投入後に詰まったメダルを排出するボタンスイッチである。
鍵穴７８は、前扉４を開錠するための鍵が挿入されるものであって、この鍵穴７８にスロットマシン１の管理者などが所定の鍵を挿入して開錠操作すると、スライドヒンジ３，３を介して筐体２に取り付けられた前扉４を前方へ開くことができるようになっている。また、前扉４を筐体２側に閉じると、自動的にこれらを施錠するようになっている。
【００２７】
次に、前扉４の裏面構造について説明する。
図２に示されるように、前扉４の裏面側上部、つまり、液晶表示装置５５の裏面側にあたる位置には、電気回路基板によって形成されたサブ制御基板４０が、カバー２１と同様の態様により、硬質プラスチック製のカバー４１に収納された状態で配設されている。このサブ制御基板４０は、液晶表示演出装置５５による演出映像の表示制御、照明演出装置５２及び演出用照明部５３ａ〜５３ｈ、６６ａ，６６ｂを用いた演出効果照明制御、演出用放音部５４ａ，５４ｂ，６４ａ，６４ｂを用いた演出効果音制御等、ゲームの演出に係る制御を主に行う。また、このサブ制御基板４０の左右側、つまり演出用放音部５４ａ，５４ｂの裏面側にあたる位置には、左右一対のスピーカ４２ａ，４２ｂが配設されている。
【００２８】
サブ制御基板４０の下方側、すなわち、パネル面５０の裏面側にあたる位置には、リールｌ０１ａ，１０１ｂ，１０１ｃの外周面を照射して図柄を明るく表示させるための冷陰極蛍光ランプを収納した収納部４３と、冷陰極蛍光ランプを駆動するインバータ４４と、硬質プラスチック製の中央制御基板カバー４５に収納された中央制御基板４６とが、ユニット化された状態で取り付けられている。
【００２９】
中央制御基板４６の下方には、メダル選別装置４７が配設されている。このメダル選別装置４７は、メダル投入部７１から投入されたメダルの適否を判別し振り分ける装置である。さらに、このメダル選別装置４７は、メダルセンサを内蔵しており、ゲームの待機状態等において正規のメダルが投入されてメダルセンサがこのメダルを検出すると、メダル投入の受け付けを示す信号を中央制御基板４６へ送出するようになっている。
【００３０】
また、メダル選別装置４７には、メダル選別装置４６の右側面から排出された正規のメダルを筐体２内に設けられたホッパ装置２３へ案内する紙面奥側から手前側に延びた平面視Ｊ字状のガイド部材４８ａと、メダル選別装置４６により排除されたメダル（或いは異物）を下方のメダル排出口６３へ案内するガイド部材４８ｂとが連なっている。さらに、ガイド部材４８ｂの下部には、ホッパ装置２３から排出されたメダルをメダル排出口６３へ案内するガイド部材４８ｃが連なっている。
また、前扉４の裏面側下部、つまり、演出用放音部６２の裏目側にあたる位置には、左右一対のスピーカ４９ａ，４９ｂが配設されている。
【００３１】
そして、スロットマシン１は、遊技者がメダルを投入し、今回の遊技に賭けるメダル数を選択するベットボタン７２，７３の何れかを押圧操作し、スタートレバー７４を叩いてリール１０１ａ，１０１ｂ，１０１ｃを回転させ、ストップボタン７５ａ，７５ｂ，７５ｃを押してリール１０１ａ，１０１ｂ，１０１ｃが停止した際の各リール１０１ａ，１０１ｂ，１０１ｃに描かれている図柄や数字等の識別情報が所定の組み合せとなると、その組み合わせの態様に応じて予め定められた枚数のメダルを払い出すようになっている。
【００３２】
次に、本発明のスロットマシンの配線抜け止め防止構造について図３〜７を用いて説明する。図３は、同例におけるパネル面の裏面側の構造を説明するための分解斜視図、図４は、同例におけるコネクタカバーを説明するための図、図５は、同コネクタカバーが取り付けられたパネル面の裏面側の斜視図、図６は、図５中のＡ−Ａ矢視断面図、図７は、図５中のＢ−Ｂ矢視断面図である。
【００３３】
図３に示されるように、前扉４（パネル面５０）の裏面側には、電気回路基板によって形成された中央制御基板４６が、エンジニアリングプラスチック、例えば、ＰＣ（ポリカーボネート）製の透明な中央制御基板カバー４５によって覆われた状態で取り付けられている。
【００３４】
この中央制御基板４６の下部には、前扉４の開閉センサ用コネクタ４６１、投入センサ用コネクタ４６２、接続モニタ用コネクタ４６３、ストップボタン用コネクタ４６４、スタートレバー及びマックスベットボタン用コネクタ４６５、積算スイッチ及び１ベットボタン用コネクタ４６６、パネル内照明用コネクタ４６７、ハーネス（内部配線）接続用の基板側コネクタ４６８、が一体的に設けられている。基板側コネクタ４６８には、ハーネス（内部配線）としての５０ピンフラットハーネスのハーネス側コネクタ５００（図４に図示）の左右下肩部を係止保持するように左右方向に開閉動作する一対の可動係止爪４６８ａ，４６８ｂを備えている。
【００３５】
また、中央制御基板４６の中央には、ゲームの当たり発生確率を段階的に設定変更する設定変更ボタンが開閉カバー４６９によって覆われた状態で一体的に設けられている。さらに、この中央制御基板４６上には、中央制御基板カバー４５をパネル面５０の裏面側に固定する固定用ネジ８０（図６に図示）が挿通する複数のネジ孔４７０ａ，４７０ｂ，４７０ｃが穿設されている。
【００３６】
中央制御基板カバー４５は、各コネクタ４６１〜４６８及び開閉カバー４６９を除いて中央制御基板４６を覆うように形成されている。このため、係合状態にある基板側コネクタ４６８とハーネス側コネクタ５００とは、この中央制御基板カバー４５によって保護されずに、剥き出しのままカバー外に位置することになるので、可動係止爪４６８ａ，４６８ｂがハーネス側コネクタ５００から外されたのち、基板側コネクタ４６８からハーネス側コネクタ５００が抜出されてしまう。
【００３７】
そこで、図３，４に示されるように、係合状態にある基板側コネクタ４６８とハーネス側コネクタ５００とを覆うコネクタカバー６００を設けるようにした。さらに、このコネクタカバー６００と中央制御基板カバー４５とを、固定具としての固定キャップ６１０によって固定するようにした。
【００３８】
詳述すると、コネクタカバー６００は、汎用プラスチック、例えば、ＡＢＳ樹脂により形成されているものであって、中央制御基板カバー４５から露出している基板側コネクタ４６８とハーネス側コネクタ５００との面部、つまり、筐体２に臨む面部、下方側に臨む面部、左右側に臨む面部、及びパネル面５０に臨む面部（可動係止爪４６８ａ，４６８ｂのパネル面側のこと）をほぼ覆うように形成された本体部６０１と、中央制御基板カバー４５の内部に挿入配置されてコネクタカバー６００と中央制御基板カバー４５とを固定キャップ６１０により固定するための平板状のフランジ部６０２とを備えている。
なお、図４中の符号５０１は、フラットハーネスを示している。
【００３９】
本体部６０１の前面側（筐体２に臨む面側のこと）には、図３に示されるように、前面側に向かって凹凸状に張り出された凹凸部６０１ａ，６０１ｂ，６０１ｃ，６０１ｄが一体的に形成されている。凸部６０１ａ，６０１ｂは、上方及び奥側（パネル面５０に臨む面側）が開放するように形成されている。また、凹部６０１ｃ，６０１ｄは、奥側にフランジ部６０２が立設されているため、上方及び前面側が開放するように形成されている。
【００４０】
そして、これら凹凸部６０１ａ，６０１ｂ，６０１ｃ，６０１ｄは、コネクタカバー６００を、中央制御基板カバー４５、基板側コネクタ４６８及びハーネス側コネクタ５００に装着する際の位置決めをなすと共に、中央制御基板カバー４５との接合部の隙間をなくし、かつ、中央制御基板カバー４５に固定されたコネクタカバー６００の動きを規制、つまり、コネクタカバー６００がこじられたとしても、コネクタカバー６００が基板側コネクタ４６８とハーネス側コネクタ５００とから離脱することがないように設けられている。
【００４１】
そして、図３に示されるように、これら凹凸部６０１ａ，６０１ｂ，６０１ｃ，６０１ｄに応じて、中央制御基板カバー４５の下部には、下方に向かって板状に張り出された張出部４５１ａ，４５１ｂ，４５１ｃ，４５１ｄが一体的に設けられている。さらには、張出部４５１ａと４５１ｄとは、奥側（パネル面５０側）に形成され、張出部４５１ｂと４５１ｃとは、前面側（筐体２側）に形成されている。
また、張出部４５１ｂと４５１ｃとの奥側において、フランジ部６０２が中央制御基板カバー４５の下方側からカバー内に挿入されるようになっている。
【００４２】
また、図４に示されるように、コネクタカバー６００の本体部６０１の左右側部は、係合状態にある基板側コネクタ４６８とハーネス側コネクタ５００の左右側部に対して弾性力によって圧着するように湾曲形成されている。さらに、その左右側部の上部には、基板側コネクタ４６８の左右の上肩部に係止可能な内向きの左右一対の係止爪６０１ｅ，６０１ｆが一体形成されている。
【００４３】
一方、コネクタカバー６００のフランジ部６０２の中央には、図３に示されるように、固定キャップ６１０の筒状の挿入部６１０ａが挿入されると共に、挿入部６１０ａの左右側部に一体形成された左右一対の固定係止爪６１０ｂ，６１０ｃ（但し、図３中にあっては、固定係止爪６１０ｂのみ図示。固定係止爪６１０ｃは、図６の固定キャップ６１１を参照）が、中央制御基板４６に臨んだ面部の周縁部に係止する係止孔６０２ａが穿設されている。
【００４４】
固定キャップ６１０は、汎用プラスチック（例えば、ＡＢＳ樹脂）により形成されているものであって、図３に示されるように、挿入部６１０ａの上部と下部とにほぼ水平な面取りがなされており、挿入部６１０ａを中央制御基板カバー４５の所定位置に挿入する際、挿入部６１０ａの左右側に必ず固定係止爪６１０ｂ，６１０ｃが位置するようになっている。また、この挿入部６１０ａの前面側には、矩形状の当接フランジ部６１０ｄが一体形成されている。
【００４５】
これに応じて、中央制御基板カバー４５には、固定キャップ６１０の挿入部６１０ａが挿入され、かつ当接フランジ部６１０ｃをほぼ面一の状態で保持する挿入孔４５２が凹み形成されている。挿入孔４５２は、固定キャップ６１０の挿入部６１０ａの径状に応じて上部と下部とがほぼ水平に面取りがなされており、挿入部６１０ａが挿入される際に、必ず固定係止爪６１０ｂ，６１０ｃを左右側に位置させるようになっている。そして、この挿入孔４５２の奥側に、コネクタカバー６００の係止孔６０２ａが整合するように配置される。
【００４６】
さらに、中央制御基板カバー４５には、ネジ孔４７０ａ，４７０ｂ，４７０ｃに応じて、固定用ネジ８０（図６に図示）を挿通すると共に、固定用ネジ８０を封止するための固定キャップ６１１が挿着される挿入孔４５３ａ，４５３ｂ，４５３ｃが凹み形成されていると共に、開閉カバー４６９を露出させるための挿入孔４５４が凹み形成されている。
【００４７】
固定キャップ６１１は、固定キャップ６１０と同様の形態とされている。そのため、挿入孔４５３ａ，４５３ｂ，４５３ｃの上部と下部とには、ほぼ水平に面取りがなされていると共に、挿入孔４５３ａ，４５３ｂ，４５３ｃの左右側部は、固定キャップ６１１の固定係止爪６１１ｂ，６１１ｃが係合する横長矩形状の係合孔４５３ａ１，４５３ｂ１，４５３ｃ１（但し、図３中にあっては片側のみ図示）が設けられている。
【００４８】
そして、図５に示されるように、係合状態にある基板側コネクタ４６８とハーネス側コネクタ５００との下方側からコネクタカバー６００を挿入すると、コネクタカバー６００の本体部６０１の左右側部は、基板側コネクタ４６８とハーネス側コネクタ５００の左右側部に対して弾性力によって圧着して、可動係止爪４６８ａ，４６８ｂの開放動作を阻止すると共に、係止爪６０１ｅ，６０１ｆが基板側コネクタ４６８の左右の上肩部に係止する。そして、その状態において、挿入孔４５２に固定キャップ６１０の挿入部６１０ａを挿入して、固定係止爪６１０ｂ，６１０ｃを、コネクタカバー６００の係止孔６０２ａの外周縁に係止させることによって、コネクタカバー６００は、下方への抜け止めが行われた状態で中央制御基板カバー４５に一体的に固定される。
【００４９】
なお、ハーネス側コネクタ５００から送出されるハーネス５０１は、図７に示されるように、コネクタカバー６００とパネル面５０との間の空間Ｓを通って主制御基板２０に接続されるようになっている。
【００５０】
以上説明したように本発明によれば、係合状態にある基板側コネクタ４６８とハーネス側コネクタ５００とのほぼ全面は、コネクタカバー６００によってほぼ密着した状態で覆われる。これにより、前扉４の裏面側の中央制御基板４５に接続されるハーネス側コネクタ５００を容易に外されないようにすることができるようになる。
さらには、このコネクタカバー６００は、固定係止爪６１０ｂ，６１０ｃを備えた固定キャップ６１０によって、制御基板カバーにしっかりと抜け止め固定されるようになっている。これにより、中央制御基板カバー４５、コネクタカバー６００、固定キャップ６１０の何れかを壊さない限りは、基板側コネクタ４６８からハーネス側コネクタ５００を抜出することはできなくなるので、前扉４の裏面側の中央制御基板４６に接続されるハーネス側コネクタ５００をより外しにくくすることが可能となる。
また、仮にハーネス側コネクタ５００が中央制御基板側コネクタ４６８から抜出された場合は、中央制御基板カバー４５、コネクタカバー６００、固定キャップ６１０の何れかに壊されたり、白くくもるような痕跡が残るので、不正行為を簡単に発見することができ、迅速に対処処置を行うことができる。
【符号の説明】
【００５１】
１…スロットマシン（遊技機）
４…前扉
４５…中央制御基板カバー
４５２…挿入孔
４６…中央制御基板
４６８…基板側コネクタ
５００…ハーネス側コネクタ
５０１…ハーネス（内部配線）
６００…コネクタカバー
６０１…本体部
６０１ｅ，６０１ｆ…係止爪
６０２…フランジ部
６０２ａ…係止孔
６１０…固定キャップ（固定具）
６１０ａ…挿入部
６１０ｂ，６１０ｃ…固定係止爪
【図１】
2011229953.tif 000003
【図２】
2011229953.tif 000004
【図３】
2011229953.tif 000005
【図４】
2011229953.tif 000006
【図５】
2011229953.tif 000007
【図６】
2011229953.tif 000008
【図７】
2011229953.tif 000009